(57)【要約】【課題】来訪者の施設への入出と内部での動きを検出して通報の必要性を判断し、その必要性に応じた対処が可能なセキュリティシステムを提供する。【解決手段】検知可能な領域内への来訪者の入出を検知した際にその信号を送信可能な２以上のセンサ４〜４ｇ等と、これらのセンサから送信された信号を受信する受信部５０と、受信部へ送信された信号の数をカウントする集計部５４と、これらのセンサの一つが、来訪者の立入りを検知してから全てのセンサが来訪者の退出を検知するまでの滞在時間を計測するタイマー５３と、カウント部で得られた信号の数と、タイマーで得られた滞在時間の値をそれぞれ、予め定められた閾値とを比較し通報の必要性を判断する判断部５１と、判断部により通報の必要性がないと判断されたときは通報を行わず、通報の必要性があると判断されたときは所定の通報を行うスピーカ部５２とを備える。【選択図】図１
2018055372.tif 000002
【特許請求の範囲】
【請求項１】
検知可能な領域内への来訪者の入出を検知した際に来訪者の入出を検知した信号を送信可能な２以上のセンサと、
該センサから送信された、前記来訪者の入出を検知した信号を受信する受信部と、
該受信部へ送信された、前記検知可能な領域内への前記来訪者の入出を検知した信号の数をカウントするカウント部と、
前記センサの一つが、前記検知可能な領域内への来訪者の立入りを検知してから、全てのセンサが、同検知可能な領域からの来訪者の退出を検知するまでの滞在時間を計測する計測部と、
前記カウント部で得られた、前記検知可能な領域内への前記来訪者の入出を検知した信号の数と、前記計測部で得られた前記滞在時間の値を、それぞれ予め定められた閾値と比較し、通報の必要性を判断する判断部と、
該判断部により通報の必要性がないと判断されたときは通報を行わず、通報の必要性があると判断されたときは所定の通報を行う通報部とを備える
セキュリティシステム。
【請求項２】
前記受信部へ送信された、前記検知可能な領域内への前記来訪者の入出を検知した信号の数の前記閾値が７であり、かつ同受信部へ送信された、同検知可能な領域内への同来訪者の入出を検知した信号の数が７以上であると共に、前記計測部で得られた前記滞在時間の前記閾値が１０分間であり、かつ同計測部で得られた同滞在時間が１０分間以上であるときには、前記判断部において通報の必要性があると判断され、前記通報部において所定の通報を行うようにした
請求項１に記載のセキュリティシステム。
【請求項３】
前記受信部へ送信された、前記検知可能な領域内への前記来訪者の入出を検知した信号の数が７〜９であるとき、前記判断部で通報の必要性があると判断され、前記通報部において前記来訪者に対して注意を促す通報を行い、前記来訪者の入出を検知した信号の数が１０以上であるときに、前記判断部で通報の必要性があると判断され、前記通報部において外部への通報を行う
請求項１又は請求項２に記載のセキュリティシステム。
【請求項４】
前記滞在時間が１０分間以上３０分間未満であるとき、前記判断部で通報の必要性があると判断され、前記通報部で前記来訪者に対して注意を促す通報を行い、前記滞在時間が３０分間以上であるときに、前記判断部で通報の必要性があると判断され、前記通報部において外部への通報を行う
請求項１、請求項２又は請求項３に記載のセキュリティシステム。
【請求項５】
前記センサは、前記検知可能な領域内での特定の来訪者の移動を追跡することができる
請求項１、請求項２、請求項３又は請求項４に記載のセキュリティシステム。
【発明の詳細な説明】
【技術分野】
【０００１】
本発明はセキュリティシステムに関する。詳しくは、来訪者の施設への入出と内部での動きを検出して通報の必要性を判断し、その必要性に応じた対処が可能なセキュリティシステムに関する。
【背景技術】
【０００２】
従来は、神社や仏閣は施錠や閉門をせず常時参拝可能であったが、近年では、このような施設で供物や賽銭が窃取されたり、不審火が起こったりする頻度は、なべて増加傾向にあり、管理側で不測の事態を想定しておかなければならないため、例えば、参拝時間を日中の一定の時間帯に限るなどの防犯対策を行うことで対応していた。
しかし、参拝時間を一定の時間帯に限ると、時間外に訪れた場合には参拝することができない。
【０００３】
このため、特許文献１に示すように、各種センサを用いて、センサからの検出信号に基づき報知音を発生する報知装置が提案されている。これにより来訪者の有無を常時検知することができ神社や仏閣の防犯に役立てることができる。
また、特許文献２に示すように、予め定められた監視空間内に設けられたセンサを用いて監視空間内での滞在時間を測定することで、監視空間内にいる人物の正常又は異常を察知し警報音の出力を判断する生活情報異常監視システムが提案されている。
【先行技術文献】
【特許文献】
【０００４】
【特許文献１】実開昭６１−１０７０９５号公報
【特許文献２】特許３４８９２３５号
【発明の概要】
【発明が解決しようとする課題】
【０００５】
しかしながら、特許文献１に記載された報知装置では、神社や仏閣を訪れた全ての人がセンサによって検知され、参拝を目的として訪れた檀家や門徒に対しても報知音が発せられてしまう。このため、窃取などを目的として悪意を持って侵入した人物と、真に参拝を目的として訪れた人とを選別することができない。
また、特許文献２に記載された生活情報異常監視システムでは、予め定めた所定の時間内にセンサに検知されたか否かを以って異常又は正常を判断するので、千差万別な行動パターンに柔軟に対応することができない。このため、本来は正常であったにも関わらず異常であると判断されてしまう。
即ち、特許文献１及び特許文献２のいずれであっても誤報が発生してしまう可能性が高く、セキュリティシステムとして充分に機能しているとは言えない。
また、特許文献１に記載された報知装置及び特許文献２に記載された生活情報異常監視システムでは、いずれも異常が検知されれば、即警備会社などの外部機関へ通報されるが、神社や仏閣では、侵入者を検挙することよりも行動を改めさせるようにしたいという要望も少なくない。しかしながら、このような要望に対して、特許文献１及び特許文献２のいずれも、これに応える手段とはなり得ない。
【０００６】
本発明は以上の点に鑑みて創案されたものであり、来訪者の施設への入出と内部での動きを検出して通報の必要性を判断し、その必要性に応じた対処が可能なセキュリティシステムを提供することを目的とする。
【課題を解決するための手段】
【０００７】
上記課題を解決するために、本発明のセキュリティシステムは、検知可能な領域内への来訪者の入出を検知した際に来訪者の入出を検知した信号を送信可能な２以上のセンサと、該センサから送信された、前記来訪者の入出を検知した信号を受信する受信部と、該受信部へ送信された、前記検知可能な領域内への前記来訪者の入出を検知した信号の数をカウントするカウント部と、前記センサの一つが、前記検知可能な領域内への来訪者の立入りを検知してから、全てのセンサが、同検知可能な領域からの来訪者の退出を検知するまでの滞在時間を計測する計測部と、前記カウント部で得られた、前記検知可能な領域内への前記来訪者の入出を検知した信号の数と、前記計測部で得られた前記滞在時間の値を、それぞれ予め定められた閾値と比較し、通報の必要性を判断する判断部と、該判断部により通報の必要性がないと判断されたときは通報を行わず、通報の必要性があると判断されたときは所定の通報を行う通報部とを備える。
【０００８】
ここで、検知可能な領域内への来訪者の入出を検知した際に来訪者の入出を検知した信号を送信可能な２以上のセンサによって、時間を限ることなく領域内への来訪者の入出を検知することができる。
【０００９】
また、センサから送信された、来訪者の入出を検知した信号を受信する受信部によって、センサにより検知された信号を受信することができる。
【００１０】
また、受信部へ送信された、検知可能な領域内への来訪者の入出を検知した信号の数をカウントするカウント部によって、受信部へ送信された、検知可能な領域内への来訪者の入出を検知した信号の数を把握することができる。
【００１１】
また、センサの一つが、検知可能な領域内への来訪者の立入りを検知してから、全てのセンサが、検知可能な領域からの来訪者の退出を検知するまでの滞在時間を計測する計測部によって、来訪者が領域内に滞留した時間を計測することができる。
【００１２】
また、カウント部で得られた、検知可能な領域内への来訪者の入出を検知した信号の数と、計測部で得られた滞在時間の値を、それぞれ予め定められた閾値とを比較し、通報の必要性を判断する判断部によって、通報が必要であるかを判断することができる。なお、受信部へ送信された、検知可能な領域内への来訪者の入出を検知した信号の数及び滞在時間についての閾値は、任意に定めることができる。
【００１３】
また、判断部により通報の必要性がないと判断されたときは通報を行わず、通報の必要性があると判断されたときは所定の通報を行う通報部によって、判断部が提示した通報の必要性によって、通報する場合と通報をしない場合のいずれかの対応を取ることができる。
【００１４】
受信部へ送信された、検知可能な領域内への来訪者の入出を検知した信号の数の閾値が７であり、かつ受信部へ送信された、検知可能な領域内への来訪者の入出を検知した信号の数が７以上であると共に、計測部で得られた滞在時間の閾値が１０分間であり、かつ計測部で得られた滞在時間が１０分間以上であるときには、判断部において通報の必要性があると判断され、通報部において所定の通報を行うようにした場合には、受信部へ送信された、検知可能な領域内への来訪者の入出を検知した信号の数が６以下の場合、若しくは滞在時間が１０分間未満であるときには通報せず、受信部へ送信された、検知可能な領域内への来訪者の入出を検知した信号の数が７以上であり、かつ滞在時間が１０分間以上であるときにのみ通報することができる。
【００１５】
受信部へ送信された、検知可能な領域内への来訪者の入出を検知した信号の数が６以下である場合、若しくは滞在時間が１０分間未満のときは、参拝のための領域内の移動及び滞在であることが考えられるので、通報を行わない。これにより、参拝を目的とした来訪者を誤って通報してしまうことを防ぐことができる。
【００１６】
受信部へ送信された、検知可能な領域内への来訪者の入出を検知した信号の数が７〜９であるとき、判断部で通報の必要性があると判断され、通報部において来訪者に対して注意を促す通報を行い、来訪者の入出を検知した信号の数が１０以上であるときに判断部で通報の必要性があると判断され、通報部において外部への通報を行う場合には、来訪者に対して段階的に対応することができる。
【００１７】
受信部へ送信された、検知可能な領域内への来訪者の入出を検知した信号の数が６以下であるときは、参拝のための領域内の移動であることが考えられるので、通報を行わない。これにより、参拝を目的とした来訪者を誤って通報してしまうことを防ぐことができる。
【００１８】
滞在時間が１０分間以上３０分間未満であるとき、判断部で通報の必要性があると判断され、通報部で来訪者に対して注意を促す通報を行い、滞在時間が３０分間以上であるときに、判断部で通報の必要性があると判断され、通報部において外部への通報を行う場合には、来訪者に対して段階的に対応することができる。
【００１９】
来訪者の滞在時間が１０分未満であるときは、参拝に要する時間と考えられ、通報を行わない。これにより、参拝を目的とした来訪者を誤って通報してしまうことを防ぐことができる。
【００２０】
センサは、検知可能な領域内での特定の来訪者の移動を追跡することができる場合には、複数の来訪者が同時に滞在する場合であっても、通報の必要性の判断をより正確に行うことができる。
【発明の効果】
【００２１】
本発明に係るセキュリティシステムは、来訪者の施設への入出と内部での動きを検出して通報の必要性を判断し、その必要性に応じた対処が可能なセキュリティシステムとなっている。
【図面の簡単な説明】
【００２２】
【図１】本発明に係るセキュリティシステムの一実施の形態を示すと共に納骨堂に設置した態様を示す説明図である。
【図２】本発明に係るセキュリティシステムの一実施の形態のブロック図である。
【図３】本発明に係るセキュリティシステムの一実施の形態における制御系のフローチャートである。
【発明を実施するための形態】
【００２３】
以下、本発明の実施の形態について図１ないし図３を参照しながら説明し、本発明の理解に供する。
【００２４】
〔実施の形態〕
図１に示すように、本発明に係るセキュリティシステムＳは納骨堂Ｎの屋内に設置されており、コントローラ５、トリガーセンサＴＳ、メインセンサＭＳ、センサ４〜４ｇから構成される。トリガーセンサＴＳ、メインセンサＭＳ、センサ４〜４ｇは検知可能な領域内への立入りと退出を検出してカウントすることができ、カウントした情報を信号に変え、無線を用いて随時コントローラ５へ送信する。
【００２５】
納骨堂Ｎには、一般の来訪者が出入りする出入口Ｅの近くに来訪者の入出を検知するトリガーセンサＴＳが設置されている。トリガーセンサＴＳが来訪者の納骨堂Ｎ内への入室を検知することによって、セキュリティシステムＳが起動する。なお、トリガーセンサＴＳの設置個所は一か所に限られず、窓や裏口など入出可能な場所に複数設けることもできる。
【００２６】
出入口Ｅから見て納骨堂Ｎ内の最奥の中央には本尊を安置する祭壇Ｈが設けられており、祭壇Ｈの近傍には、本実施の形態に係るセキュリティシステムＳの各制御を行うコントローラ５が設置されている。なお、コントローラ５の設置場所は祭壇Ｈの近傍に限られるものではなく、祭壇Ｈから離れた場所に設置することもできる。
【００２７】
出入口Ｅから祭壇Ｈにかけて主通路Ｍが設けられており、祭壇Ｈから出入口Ｅに向けてメインセンサＭＳが設けられている。メインセンサＭＳは主通路Ｍ全体を含む主領域ＭＲへの来訪者の出入りを検知することができる。
【００２８】
図１において左側には、主通路Ｍと略直交する方向に仏壇を収容可能な複数の区画を有する収容棚１、１ａ、１ｂが奥側から出入口Ｅ側にかけて設置されている。また、主通路Ｍの出入口Ｅからみて右側にも同様に収容棚１ｃ、１ｄ、１ｅが奥から出入口Ｅ側にかけて設置されている。収容棚１、１ａ、１ｂ、１ｃ、１ｄ、１ｅはそれぞれ、奥側の側面と出入口Ｅ側の側面の両側面に仏壇を収容することができる。
【００２９】
収容棚１の奥側には小通路２が設けられており、小通路２全体を含む領域３への来訪者の出入りを検知可能な熱センサ４が収容棚１近傍の壁面ＷＬに設けられている。収容棚１と収容棚１ａの間には小通路２ａが設けられており、小通路２ａ全体を含む領域３ａへの来訪者の出入りを検知可能な熱センサ４ａが収容棚１及び収容棚１ａ近傍の壁面ＷＬに設けられている。収容棚１ａと収容棚１ｂの間には小通路２ｂが設けられており、小通路２ｂ全体を含む領域３ｂへの来訪者の出入りを検知可能なセンサ４ｂが収容棚１ａ及び収容棚１ｂ近傍の壁面ＷＬに設けられている。
【００３０】
収容棚１ｃの奥側には小通路２ｃが設けられており、小通路２ｃ全体を含む領域３ｃへの来訪者の出入りを検知可能なセンサ４ｃが収容棚１ｃ近傍の壁面ＷＲに設けられている。収容棚１ｃと収容棚１ｄの間には小通路２ｄが設けられており、小通路２ｄ全体を含む領域３ｄへの来訪者の出入りを検知可能なセンサ４ｄが収容棚１ｃと収容棚１ｄ近傍の壁面ＷＲに設けられている。
【００３１】
収容棚１ｄと収容棚１ｅの間には小通路２ｅが設けられており、小通路２ｅ全体を含む領域３ｅへの来訪者の出入りを検知可能なセンサ４ｅが収容棚１ｄ及び収容棚１ｅ近傍の壁面ＷＲに設けられている。収容棚１ｂの出入口Ｅ側には小通路２ｆが設けられており、小通路２ｆ全体を含む領域３ｆへの来訪者の出入りを検知可能なセンサ４ｆが収容棚１ｂ近傍の壁面ＷＬに設けられている。収容棚１ｅの出入口Ｅ側には小通路２ｇが設けられており、小通路２ｇ全体を含む領域３ｇへの来訪者の出入りを検知可能なセンサ４ｇが収容棚１ｅ近傍の壁面ＷＲに設けられている。
【００３２】
図３に示すように、トリガーセンサＴＳ、メインセンサＭＳ及びセンサ４〜４ｇは、検知領域への来訪者の立入及び退出を検知する検知部４０と、検知した情報を信号に変えてコントローラ５へ送信する送信部４１とから構成される。
【００３３】
コントローラ５は、トリガーセンサＴＳ、メインセンサＭＳ及びセンサ４〜４ｇから送信された信号を受信する受信部５０と、トリガーセンサＴＳ、メインセンサＭＳ及びセンサ４〜４ｇが来訪者の立入を検知してから退出を検知するまでの滞在時間を計測する計測部の一例であるタイマー５３と、受信部５０へ送信された、検知可能な領域内への来訪者の入出を検知した信号の数をカウントするカウント部の一例である集計部５４と、受信部５０へ送信された、検知可能な領域内への来訪者の入出を検知した信号の数の閾値及び滞在時間の閾値を記憶するデータ保存部５５と、タイマー５３及び集計部５４から得られた値とデータ保存部５５に保存された閾値とを比較し通報の必要性を判断する判断部５１と、判断部５１の判断に従って通報することが可能な通報部の一例であるスピーカ部５２とから構成される。
【００３４】
〔セキュリティシステムＳのフロー〕
図１ないし図３（主に図２）を参照して本実施の形態に係るセキュリティシステムＳの制御系のフローを説明する。なお、コントローラ５には計測部であるタイマー５３が設置されており、日中（６時から２０時まで）警備モードと、夜間（２０時から翌日の６時まで）警備モードの切り替えが可能となっている。
【００３５】
（日中の来訪者の場合）
日中（例えば６時から２０時まで）に参拝を目的として納骨堂Ｎを訪れた来訪者は、出入口Ｅから納骨堂Ｎ内に入る。このとき、出入口Ｅ付近に設けられたトリガーセンサＴＳが、検知部４０で来訪者の入室を検知（ＳＴ１）し、トリガーセンＴＳの送信部４１から来訪者の入室情報に関する信号がコントローラ５の受信部５０へ送信される。
【００３６】
これにより、コントローラ５のタイマー５３が、信号を受信した時刻が日中（６時から２０時まで）であることを確認（ＳＴ２）し、セキュリティシステムＳの日中の警備モードが起動する。
【００３７】
コントローラ５の受信部５０がこの信号を受信すると、コントローラ５内のスピーカ部５２から予め録音されたお経が約１０分間流れる（ＳＴ３）。これにより、来訪者はお経を聴きながら、祭壇Ｈと仏壇Ｚにお参りすることができる。なお、お経は１０分経過後（ＳＴ３０）には自動的に停止する（ＳＴ３１）。
【００３８】
お参りを終えた来訪者は出入口Ｅより退室する際トリガーセンサＴＳの検知部４０により「納骨堂Ｎからの退室」を検知され、この信号が送信部４１からコントローラ５に送られ、受信部５０が受信したことによりセキュリティシステムＳは終了する。
【００３９】
なお、日中は周囲の目もあることから窃盗などの目的で訪れる侵入者はいないと考えられるが、仮に窃盗などの目的で訪れた侵入者であっても、お経を聴かせることで改心させることが期待でき、犯罪を未然に防ぐことができる。
また、日中の場合であっても、後述する夜間の来訪者の場合と同じように、来訪者の入出を検知した信号の数をカウントし、滞在時間を計測して閾値との照合を行い、通報の必要性を判断するようにしてもよい。
そして、日中の警備モードと夜間の警備モードが切替わる時間帯は、任意に設定することができる。
【００４０】
（夜間の来訪者の場合）
夜間（例えば２０時から翌日の６時まで）に納骨堂Ｎを訪れた来訪者は、出入口Ｅから納骨堂Ｎ内に入る。このとき、出入口Ｅ付近に設けられたトリガーセンサＴＳの検知部４０が、来訪者の入室を検知（ＳＴ１）し、トリガーセンサＴＳの送信部４１より来訪者の入室情報に関する信号がコントローラ５の受信部５０へ送信される。
【００４１】
これにより、コントローラ５のタイマー５３が、信号を受信した時刻が夜間（２０時から翌日の６時まで）であることを確認（ＳＴ２）し、セキュリティシステムＳの夜間警備モードが起動すると同時に、タイマー５３により来訪者の滞在時間の計測が開始される（ＳＴ４）。
【００４２】
来訪者は出入口Ｅを通過後、まず主通路Ｍを通り正面に配置された祭壇Ｈにお参りをし、その後来訪者の仏壇Ｚが置かれている場所へ向かう。本実施の形態では、仏壇Ｚは収納棚１の出入口Ｅ側の側面の一区画に置かれている。
【００４３】
まず、来訪者は必ず主通路Ｍを通るので、メインセンサＭＳが検知可能な主領域ＭＲへ立入る。このときメインセンサＭＳの検知部４０により「主領域ＭＲ内への立入」を検知され、この検知に関する信号がコントローラ５の受信部５０で受信されて集計部５４でカウントされる。このときのカウント数は「１」である。
【００４４】
次に、来訪者は主通路Ｍから左折し小通路２ａへ進み、主領域ＭＲから退出する。このときメインセンサＭＳの検知部４０により「主領域ＭＲからの退出」を検知され、この検知に関する信号がコントローラ５の受信部５０で受信されて集計部５４でカウントされる。このときのカウント数は「２」となる。
【００４５】
続いて、来訪者はセンサ４ａが検知可能な領域３ａへ立入る。このとき、センサ４ａの検知部４０により「領域３ａへの立入」を検知され、この検知に関する信号がコントローラ５の受信部５０で受信されて集計部５４でカウントされ、カウント数は「３」となる。
【００４６】
来訪者は領域３ａに滞在したまま仏壇Ｚに参拝する。参拝を終えると、小通路２ａを通って主通路Ｍへ戻り、領域３ａから退出する。このときセンサ４ａの検知部４０により「領域３ａからの退出」を検知され、この検知に関する信号がコントローラ５の受信部５０で受信されて集計部５４でカウントされ、カウント数は「４」となる。
【００４７】
続いて、来訪者は再びメインセンサＭＳの検知可能な主領域ＭＲに立ち入る。このときメインセンサＭＳの検知部４０より「主領域ＭＲへの立入」を検知され、この検知に関する信号がコントローラ５の受信部５０で受信されて集計部５４でカウントされ、カウント数は「５」となる。
【００４８】
そして、来訪者は出入口Ｅから退室する。このとき、メインセンサＭＳの検知部４０により「主領域ＭＲからの退出」を検知され、この検知に関する信号がコントローラ５の受信部５０で受信されて集計部５４でカウントされ、カウント数は「６」となる。
【００４９】
最後に、お参りを終えた来訪者は出入口Ｅより退室する際トリガーセンサＴＳの検知部４０により「納骨堂Ｎからの退室」を検知され、この信号がコントローラ５に送られ、コントローラ５が受信したことによりセキュリティシステムＳは終了する。
【００５０】
ここで、来訪者が納骨堂Ｎ内に入室した際にトリガーセンサＴＳの検知部４０で検知されその信号がコントローラ５の受信部５０で受信されることで、タイマー５３により来訪者の滞在時間の測定が開始される。通常は約１０分程度で参拝を終えると考えられるため、来訪者が入室から１０分以内（ＳＴ５）にトリガーセンサＴＳにより「納骨堂Ｎからの退室」が検知された場合（ＳＴ５０）にはコントローラ５内の判断部５１において通常の参拝であると判断され、何らの通報を行わずに、セキュリティシステムＳは終了する。
【００５１】
このような処理を行うことにより、参拝に訪れた来訪者を誤って通報してしまうことを防ぐことができる。
【００５２】
〔滞在時間が１０分間を超え、かつセンサからの入出の信号が７未満である場合〕
滞在時間が１０分間を超え、かつセンサからの入出の信号が７未満である場合には、やや長い滞在時間であると考えられるものの通常の参拝の可能性も否定できない。よって、滞在時間が１０分間を超えた後、トリガーセンサＴＳにより「納骨堂Ｎからの退室」が検知された場合（ＳＴ６０）にはコントローラ５内の判断部５１において通常の参拝であると判断され、何らの通報を行わずに、セキュリティシステムＳは終了する。
【００５３】
このような処理を行うことにより、参拝に訪れた来訪者を誤って通報してしまうことを防ぐことができる。
【００５４】
〔滞在時間が１０分間を超え、かつセンサからの入出の信号が７以上である場合〕
滞在時間が１０分間を超え（ＳＴ５）、かつセンサからの入出の信号が７以上である場合（ＳＴ６）には、納骨堂Ｎ内を徘徊している可能性が考えられる。よって、この場合には、コントローラ５のスピーカ部より５２よりお経を約１０分間流す（ＳＴ７）。
【００５５】
これにより、何らかの事情により滞在時間が長くなった場合であっても、来訪者の気持ちを害することなく、時間の経過を知らせることができる。なお、参拝を目的とするのではなく、窃盗や放火などを企んだ侵入者の場合には、お経を聴かせることで侵入者を改心させることが期待でき、犯罪を未然に防ぐことができる。
【００５６】
なお、お経を約１０分間流した後にトリガーセンサＴＳの検知部４０により来訪者若しくは侵入者の「納骨堂Ｎからの退室」が検知された場合（ＳＴ８）には、コントローラ５内の判断部５１において通常の参拝であると判断され、何らの通報を行うことなくセキュリティシステムＳは終了する。仮に、窃盗などの目的を持った侵入者であっても、お経を聴いたことで納骨堂Ｎから退室したことから改心したと想定し、通報を行うことなくセキュリティシステムＳは終了する。
【００５７】
このような処理を行うことにより、参拝に訪れた来訪者や改心した侵入者を誤って通報してしまうことを防ぐことができる。
【００５８】
〔滞在時間が２０分間を超えた場合〕
滞在時間が２０分間を超えた（ＳＴ９）場合、来訪者に対し「問いかけ」を行う（ＳＴ９０）。問いかけは、注意を促す通報の一態様であり、具体的な内容としては、「信仰についての一般的な話」「釈迦の教え」などが考えられるが、これに限られるものではなく、来訪者の心の迷いを取除く、あるいは侵入者の改心を促すような言葉であれば良い。
【００５９】
問いかけにより、来訪者が何らかの事情によりつい滞在時間が長くなった場合、あるいは悲観的な考えにとらわれていた場合であっても、来訪者の気持ちを害することなく、時間の経過を知らせ、あるいは悩みを解決する糸口を伝えることができる。参拝を目的とするのではなく、窃盗や放火などを企んだ侵入者の場合には、問いかけを行うことで改心させることが期待でき、犯罪を未然に防ぐことができる。
【００６０】
〔滞在時間が１０分間を超え、かつ受信部５０へ送信された、検知可能な領域内への来訪者の入出を検知した信号の数が１０以上である場合〕
滞在時間が１０分間を超え、かつ受信部５０へ送信された、検知可能な領域内への来訪者の入出を検知した信号の数が１０以上である場合（ＳＴ９１）には、窃盗や放火などの目的を以って納骨堂Ｎ内を徘徊している可能性が強く推認される。よって、この場合には、コントローラ５のスピーカ部より５２より「セキュリティシステムを設置している」旨を通告する（ＳＴ９２）。「セキュリティシステムを設置している」旨の通告は、注意を促す通報の一態様であり、具体的な内容としては「この納骨堂Ｎには安全対策としてセキュリティシステムが設置されています。」などが考えられるが、これに限られるものではなく、来訪者にセキュリティシステムが設置されていることを知らせる言葉であればよい。
【００６１】
通常の参拝が１０分程度で終わること、通常の参拝である場合に検知可能な領域内への来訪者の入出を検知した信号の数が６であることを考慮すると、明らかに納骨堂Ｎ内を長時間にわたり徘徊していることと考えられる。これにより、何らかの事情により滞在時間が長くなった場合、若しくは納骨堂Ｎ内を悪意なく移動していた場合であっても、来訪者の気持ちを害することなく、セキュリティシステムが設置されていることや時間が経過していることを知らせることができる。
【００６２】
なお、参拝を目的とするのではなく、窃盗や放火などを企んだ侵入者の場合には、「セキュリティシステムを設置している」旨を通告することで、監視されていることを侵入者に認識させ、窃盗や放火などの行為を行えば検挙される恐れがあるとの危惧をいだかせることが期待でき、犯罪を未然に防ぐことができる。
【００６３】
トリガーセンサＴＳにより来訪者若しくは侵入者の「納骨堂Ｎからの退室」が検知された場合には、来訪者については参拝を終えたものと判断部５１で判断し、侵入者については改心したものと判断し、外部機関（警備会社や警察）への通報は行わず、セキュリティシステムＳは終了する。
【００６４】
これにより、参拝に訪れた来訪者や改心をした侵入者を誤って通報してしまうことを防ぐことができる。
【００６５】
〔滞在時間が３０分間を超え、かつ来訪者のセンサによるカウント数が１０を超えた場合〕
滞在時間が３０分間を超え、かつ来訪者のセンサによるカウント数が１０を超えた場合（ＳＴ１０）には、警察や警備会社などの外部機関へ通報する（ＳＴ１１）。通常の参拝が１０分程度で終わることと、来通常の参拝である場合に検知可能な領域内への来訪者の入出を検知した信号の数が６であること及び夜間の時間帯であることを考慮すると、窃盗や放火などの目的があって納骨堂Ｎ内に侵入したと判断できる。このため、警察などの外部機関へ通報する。
【００６６】
このとき、外部への連絡と同時に、侵入者に犯行を止めるよう警告を行う、あるいは検挙した際の証拠とするために納骨堂Ｎ内の映像を録画することも可能である。
【００６７】
なお、センサに追跡機能を付加することで、複数の人間が同時に納骨堂Ｎ内に滞在している場合であっても各来訪者の移動を追跡することで、各来訪者の入出を検知した信号の数や滞在時間を割り出すことができる。
あるいは、来訪者の人数をカウントし、検知可能な領域内への入出のカウント数や滞在時間を来訪者数で除した、一人あたりの値をカウント数や滞在時間の値とし、これらの値と閾値を比較して通報の必要性を判断するようにしてもよい。
【００６８】
このように、本願発明に係るセキュリティシステムは、検知可能な領域内への来訪者の入出を検知し、来訪者の入出に関する情報と予め定められた閾値を照合して通報の必要性を判断し、その必要性に応じて多段階的に来訪者に対して対処することが可能なものとなっている。
【符号の説明】
【００６９】
ＭＳ  メインセンサ
Ｓ  セキュリティシステム
ＴＳ  トリガーセンサ
３、３ａ、３ｂ、３ｃ、３ｄ、３ｅ、３ｆ、３ｇ  領域
４、４ａ、４ｂ、４ｃ、４ｄ、４ｅ、４ｆ、４ｇ  センサ
５  コントローラ
５０  受信部
５１  判断部
５２  スピーカ部
５３  計測部
５４  集計部
５５  データ保存部
【図１】
2018055372.tif 000003
【図２】
2018055372.tif 000004
【図３】
2018055372.tif 000005